(57)【特許請求の範囲】
【請求項１】
浴槽から見て洗い場側を後側とし、浴槽の底部の下面における前側と後側に浴槽前側被嵌合部及び浴槽後側被嵌合部を夫々設け、浴槽を設置する浴槽設置部の上面における浴槽前側被嵌合部及び浴槽後側被嵌合部に対応する箇所に設置部前側嵌合部及び設置部後側嵌合部を夫々設け、浴槽後側被嵌合部を設置部後側嵌合部に前後方向のうち少なくとも後方及び左右両方向の移動を規制した状態で上側から嵌合し、浴槽前側被嵌合部を設置部前側嵌合部に前方及び左右両方向の移動を規制すると共に後方への移動を許容した状態で上側から嵌合することを特徴とすることを特徴とする浴槽の設置構造。
【請求項２】
浴槽前側被嵌合部及び浴槽後側被嵌合部を浴槽の底部の下面から突出するリブで構成することを特徴とする請求項１に記載の浴槽の設置構造。
【請求項３】
設置部前側嵌合部又は設置部後側嵌合部の少なくともいずれか一方を浴槽設置部の上面から突設した凸部で構成し、該凸部に対応する浴槽前側被嵌合部又は浴槽後側被嵌合部を浴槽の底部の下面から突出するリブで構成し、浴槽設置部の上面における前記凸部の左右両側に、浴槽が正しい設置位置から左右にずれた位置に設置された際に凸部に対応する浴槽前側被嵌合部又は浴槽後側被嵌合部を受けるための被嵌合部受部を突設することを特徴とする請求項１又は請求項２に記載の浴槽の設置構造。
【請求項４】
上記浴槽前側被嵌合部及び浴槽後側被嵌合部を浴槽とは別部材で構成したことを特徴とする請求項１に記載の浴槽の設置構造。
【発明の詳細な説明】
【技術分野】
【０００１】
本発明は浴槽の設置構造に関する。
【背景技術】
【０００２】
従来、浴槽を架台等の浴槽設置部上に設置するには、例えば浴槽の底部の下面に設けた複数の脚部からなる被嵌合部を浴槽設置部の上面に設けた嵌合部に上方から嵌め込み、これにより被嵌合部を前後方向及び左右方向に位置決めして固定していた。なお、特許文献１には浴槽を浴槽設置部を構成する架台上に支持することが開示してある。
【０００３】
ところで浴槽設置部に浴槽を設置するには、浴槽設置部の洗い場側を除く三方が建物躯体壁によって囲まれているため、先に形成された洗い場側に立ち、該洗い場側から浴槽を設置することが一般的であるが、上記の設置構造では重量のある浴槽を周囲が建物躯体壁によって囲まれた浴槽設置部上に設置する際に浴槽の被嵌合部を浴槽設置部の嵌合部に真上から嵌め込む必要があり、被嵌合部の嵌合部への嵌め込みが難しいという問題がある。
【０００４】
また、例えば浴室ユニットが洗い場を構成する床パンと浴槽１と該浴槽１の洗い場側の側面を覆うエプロン３との三者を別体としたものにおいて、図３に示すように浴槽１の洗い場側のフランジ１５の先端から垂下した被係止部２０をエプロン３の上端部に上方から係止するものにあっては次のような問題もある。
【０００５】
即ち床パンと浴槽１とエプロン３の三者を別体としたものは、浴槽１を浴槽設置部上に設置する前にエプロン３を施工すると、床パン側から浴槽設置部上に浴槽１を設置する際にエプロン３が邪魔になるという問題がある。このため通常は先に施工した床パン側から浴槽設置部上に浴槽１を設置（仮設置）し、この後、設置した浴槽１を床パン側から持ち上げて上方に浮き上がらせ、この状態でエプロン３を施工し、この後、浴槽１を浴槽設置部上に設置（本設置）し、浴槽１の被係止部２０をエプロン３の上端部に上方から係止する。しかし、この浴槽１及び浴槽設置部が上記のように浴槽１に設けた複数の脚部からなる被嵌合部を浴槽設置部の上面に設けた嵌合部に前後方向及び左右方向に位置決めた状態で嵌合するものである場合には、仮設置した浴槽１の全体を床パン側から真上に持ち上げて支持する必要があって困難な作業が強いられる。また、この際には浴槽１を上方に持ち上げて被嵌合部と嵌合部の嵌合が外れてしまい、この場合は再度被嵌合部を嵌合部に嵌合する必要があり、非常に面倒である。
【特許文献１】特開平９−３１６９４９号公報
【発明の開示】
【発明が解決しようとする課題】
【０００６】
本発明は上記従来の問題点に鑑みてなされたものであって、浴槽の施工を容易に行える浴槽の設置構造を提供することを課題とするものである。
【課題を解決するための手段】
【０００７】
上記課題を解決するために本発明に係る浴槽の設置構造は、浴槽１から見て洗い場側を後側とし、浴槽１の底部の下面における前側と後側に浴槽前側被嵌合部１６及び浴槽後側被嵌合部１７を夫々設け、浴槽１を設置する浴槽設置部４の上面における浴槽前側被嵌合部１６及び浴槽後側被嵌合部１７に対応する箇所に設置部前側嵌合部２４及び設置部後側嵌合部２５を夫々設け、浴槽後側被嵌合部１７を設置部後側嵌合部２５に前後方向のうち少なくとも後方及び左右両方向の移動を規制した状態で上側から嵌合し、浴槽前側被嵌合部１６を設置部前側嵌合部２４に前方及び左右両方向の移動を規制すると共に後方への移動を許容した状態で上側から嵌合することを特徴とする。このように浴槽前側被嵌合部１６を設置部前側嵌合部２４に前方及び左右両方向の移動を規制すると共に後方への移動を許容した状態で上側から嵌合することで、例えば浴槽１を洗い場側から浴槽設置部４に設置する時には、まず浴槽１を前下がりで傾けた状態で底部前側部分を浴槽設置部４上に載置すると共に浴槽前側被嵌合部１６を設置部前側嵌合部２４に嵌合して浴槽１を後側だけ浮き上がらせ、次に浴槽前側被嵌合部１６で浴槽１の左右方向の移動を規制した状態で浴槽１をやや後方に移動しつつ、浴槽１の後部側が下方に移動するように回動し、これにより浴槽後側被嵌合部１７を対応する設置部後側嵌合部２５に嵌合することが可能となる。
【０００８】
また、請求項２は請求項１において、浴槽前側被嵌合部１６及び浴槽後側被嵌合部１７を浴槽１の底部の下面から突出するリブ２３、２２で構成することを特徴とする。リブ２３、２２により浴槽前側被嵌合部１６及び浴槽後側被嵌合部１７を簡単に形成できる。
【０００９】
また、請求項３は請求項１又は請求項２において、設置部前側嵌合部２４又は設置部後側嵌合部２５の少なくともいずれか一方を浴槽設置部４の上面から突設した凸部で構成し、該凸部に対応する浴槽前側被嵌合部１６又は浴槽後側被嵌合部１７を浴槽１の底部の下面から突出するリブ２３、２２で構成し、浴槽設置部４の上面における前記凸部の左右両側に、浴槽１が正しい設置位置から左右にずれた位置に設置された際に凸部に対応する浴槽前側被嵌合部１６又は浴槽後側被嵌合部１７を受けるための被嵌合部受部３０を突設することを特徴とする。上記構成により、浴槽１が正しい設置位置から左右にずれた位置に設置された際にリブ２２、２３で構成される浴槽前側被嵌合部１６や浴槽後側被嵌合部１７を被嵌合部受部３０で受けて正しく設置された状態よりも上方に位置させることができる。
【００１０】
また、請求項４は請求項１において、上記浴槽前側被嵌合部１６及び浴槽後側被嵌合部１７を浴槽１とは別部材で構成したことを特徴とする。浴槽１に別部材の浴槽前側被嵌合部１６及び浴槽後側被嵌合部１７を取り付けるだけで、浴槽前側被嵌合部１６及び浴槽後側被嵌合部１７を設けることができる。
【発明の効果】
【００１１】
請求項１に係る発明では、例えば浴槽を浴槽設置部に設置する時には、まず浴槽の底部前側部分を浴槽設置部上に載置すると共に浴槽前側被嵌合部を設置部前側嵌合部に嵌合して浴槽を後側だけ浮き上がらせ、次に浴槽をやや後方に移動しつつ浴槽の後部側が下方に移動するように回動し、これにより浴槽後側被嵌合部を対応する設置部後側嵌合部に嵌合することができ、この場合、浴槽全体を支持して浴槽を架台上に真上から設置する必要がないので浴槽の設置作業が容易になり、また、上記浴槽の前部を支持しながら後方へ移動する際や浴槽を回動する際には設置部前側嵌合部が左右方向の移動を規制された状態となり、この点でも浴槽の設置作業が容易になり、浴槽の施工が容易になる。
【００１２】
また請求項２に係る発明では、請求項１に係る発明の効果に加えて、浴槽の底部から突出したリブにより浴槽前側被嵌合部及び浴槽後側被嵌合部を簡単に形成できる。
【００１３】
また請求項３に係る発明では、請求項１又は請求項２に係る発明の効果に加えて、浴槽が正しい設置位置から左右にずれた位置に設置された際にリブで構成される浴槽前側被嵌合部や浴槽後側被嵌合部を被嵌合部受部で受けて正しく設置された状態よりも上方に位置させることができ、施工者は浴槽が正しい設置位置から左右にずれた位置に設置されたことを容易に認識できる。
【００１４】
また請求項４に係る発明では、請求項１の効果に加えて、浴槽に別部材の浴槽前側被嵌合部及び浴槽後側被嵌合部を取り付けるだけで、浴槽前側被嵌合部及び浴槽後側被嵌合部を設けることができる。
【発明を実施するための最良の形態】
【００１５】
以下、本発明を添付図面に示す実施形態に基づいて説明する。図１及び図２に示すように、本例の浴室ユニットは、洗い場を構成する床パン２と、浴槽１と、浴槽１の洗い場側の側面を覆うエプロン３の３者を別体としたものであり、以下に該浴室ユニットにおける浴槽１の設置構造を示す。なお、以下の説明では、浴槽１から見て洗い場側（図１中ａに示す方向）を後側とすると共に反対側（図１中ｂに示す方向）を前側として説明する。
【００１６】
浴槽設置部４は床スラブ等の建物躯体床に設置される架台５により構成してある。架台５は前後方向に長い長尺な左右のフレーム６、７間に左右方向に長い長尺なフレーム８、９、１０を前後に間隔を介して架設して形成してある。
【００１７】
３本のフレーム８、９、１０のうち、最も後側に位置するフレーム１０の長手方向の複数箇所には床パン支持具１１を設けてあり、各床パン支持具１１にて床パン２の前端部が支持される。
【００１８】
３本のフレーム８、９、１０のうち、最も前側に位置するフレーム８と一つ後側に位置するフレーム９には浴槽支持具１２を取り付けている。浴槽支持具１２は各フレーム８、９上の長手方向の２箇所に設けてあり、浴槽１の槽部１４における前部両側と後部両側に対応する箇所に位置している。図６に示すようにフレーム８、９に設けた各浴槽支持具１２は平面視矩形板状の台部１３を備え、台部１３の上面中央部からは上方に向けて突部２６を一体に突出している。突部２６の外周部は台部１３から上方に突出した平面視矩形状（詳しくは前後方向に長い長方形状）の筒状部２７で構成してあり、筒状部２７の両側壁の前部及び後部の夫々は連結片部２８により一体に連結してある。台部１３において前記連結片部２８間に形成される空所の底部を構成する部分には図示しないボルト用孔を穿設してあり、台部１３をフレーム８又は９上に載置した状態でボルト２９（図５参照）をボルト用孔を介してフレーム８、９に挿通させ、該ボルト２９に図示しないナットを螺合することで浴槽支持具１２はフレーム８又は９に取り付けられる。
【００１９】
浴槽１は樹脂製であり、平面視で左右方向に長い略長方形状の槽部１４を備えている。槽部１４の下面には格子状の補強リブ２１（図５参照）を全体に亘って一体に突設してあり、浴槽１は補強リブ２１を上記架台５上の計４箇所に設けた各浴槽支持具１２の台部１３上に載置した状態で設置される。また、槽部１４の上端周縁部には外方に向けてフランジ１５を一体に突出してある。
【００２０】
エプロン３は浴槽１の洗い場側を覆うものであり、浴槽１の洗い場側に突出したフランジ１５と床パン２の前端部間に配設される。図３に示すようにエプロン３の上端縁部の前部には上方に向けて係止突部１９を突出してある。また、浴槽１の洗い場側に突出するフランジ１５の先端縁には垂下片部からなる被係止部２０を垂設してあり、この下方に向けて突出する被係止部２０は浴槽１の係止突部１９の後面に係止される。
【００２１】
ここで、図４及び図５に示すように浴槽１の槽部１４の底部下面における前側の左右２箇所には凹部からなる浴槽前側被嵌合部１６を設けてあり、槽部１４の底部下面における後側の左右２箇所には凹部からなる浴槽後側被嵌合部１７を設けている。また、架台５の上面における各浴槽後側被嵌合部１７に対応する箇所に凸部からなる設置部後側嵌合部２５を設けてあり、各浴槽後側被嵌合部１７は対応する設置部後側嵌合部２５に上側から前後両方向方及び左右両方向の移動を規制した状態で凹凸嵌合可能となっている。また、架台５の上面における各浴槽前側被嵌合部１６に対応する箇所には凸部からなる設置部前側嵌合部２４を設けてあり、各浴槽前側被嵌合部１６は対応する設置部前側嵌合部２４に上側から前方及び左右両方向の移動を規制すると共に後方への移動を許容した状態で凹凸嵌合可能となっている。
【００２２】
浴槽１の後側に設けた各浴槽後側被嵌合部１７は水平断面矩形状で筒状に形成してあり、槽部１４の底部下面から下方に向けて一体に突出したリブ２２により形成してある。さらに各浴槽後側被嵌合部１７を構成するリブ２２の一部又は全部（図示例では一部であり、リブ２２は補強リブ２１に連続している）は前述の槽部１４の下面から突出した補強リブ２１により構成してある。
【００２３】
浴槽１の前側に設けた各浴槽前側被嵌合部１６は水平断面で前方に開口するコ字状に形成してあり、槽部１４の底部下面から下方に向けて一体に突出したリブ２３により形成してある。さらに各浴槽前側被嵌合部１６を構成するリブ２３の一部又は全部（図示例では一部であり、リブ２３は補強リブ２１に連続している）は前述の槽部１４の下面から格子状に突出したリブ２２により構成してある。
【００２４】
各設置部後側嵌合部２５はフレーム９に設けた各浴槽支持具１２の突部２６により構成してある。各設置部後側嵌合部２５を構成する突部２６の外周形状は対応する浴槽後側被嵌合部１７の内周形状と略合致する形状であり、対応する浴槽後側被嵌合部１７の内側全体に嵌め込まれる。また、各設置部前側嵌合部２４はフレーム８に設けた各浴槽支持具１２の突部２６により構成してあり、対応する設置部後側嵌合部２５の前方に位置している。各設置部前側嵌合部２４を構成する突部２６は上記各設置部後側嵌合部２５を構成する突部２６と同一のものであり、その前後長は対応するコ字状の浴槽前側被嵌合部１６の前後長よりも短く浴槽前側被嵌合部１６の内側に嵌め込まれる。
【００２５】
ここで、各浴槽前側被嵌合部１６に設置部前側嵌合部２４を挿入嵌合した状態では、コ字状の浴槽前側被嵌合部１６の両側壁部１６ａ間に設置部前側嵌合部２４が前後方向にスライド自在に挿入され、この浴槽前側被嵌合部１６の前方へのスライド移動は設置部前側嵌合部２４がコ字状の浴槽前側被嵌合部１６の後壁部１６ｂに当たるまで可能となっている。また、コ字状の浴槽前側被嵌合部１６は前方へ開口しているので、前記浴槽前側被嵌合部１６内に設置部前側嵌合部２４を挿入嵌合した状態では、浴槽前側被嵌合部１６の後方への移動が許容されている。
【００２６】
上記浴室ユニットの床パン２、浴槽１、エプロン３の設置は例えば以下のように行われる。
【００２７】
まず、床スラブ等からなる建物躯体床に図示しないアジャスタボルトを介して架台５を設置し、この後、床パン２の後部を図示しないアジャスタボルトを介して前記建物躯体床に設置すると共に床パン２の前端部を各床パン支持具１１にて支持する。
【００２８】
次に架台５上に床パン２側から浴槽１を設置（仮設置）する。この浴槽１の設置は、各浴槽前側被嵌合部１６を対応する設置部前側嵌合部２４に上側から嵌合すると共に各浴槽後側被嵌合部１７を対応する設置部後側嵌合部２５に上側から嵌合し、架台５上の計４箇所に設けた各浴槽支持具１２の台部１３上に補強リブ２１を載置する。また、この時、各浴槽後側被嵌合部１７を構成するリブ２２は対応する台部１３上に載置され、また、各浴槽前側被嵌合部１６を構成するリブ２３は対応する台部１３上に載置される。
【００２９】
上記により各浴槽後側被嵌合部１７は対応する設置部後側嵌合部２５に前後両方向及び左右両方向の移動を規制した状態で嵌合され、同時に各浴槽前側被嵌合部１６内に嵌合された各設置部前側嵌合部２４は浴槽前側被嵌合部１６の後端部に配置されて、各浴槽前側被嵌合部１６は前方及び左右両方向の移動を規制すると共に後方への移動を許容した状態で対応する設置部前側嵌合部２４に嵌合される。
【００３０】
ここで上記のように各浴槽前側被嵌合部１６は後方への移動を許容した状態で対応する設置部前側嵌合部２４に嵌合するものであるので、上記浴槽１を架台５上に設置（仮設置）する時には以下のように施工できる。
【００３１】
即ち、浴槽１を設置する時には、まず、浴槽１を洗い場側から前下がりで傾けた状態で前斜め下方に移動し、槽部１４の底部前側部分（詳しくはリブ２３）を架台５のフレーム８に設けた前側の各浴槽支持具１２の台部１３上に載置すると共に各浴槽前側被嵌合部１６内に対応する設置部前側嵌合部２４を挿入し、浴槽１を後側だけ浮き上がらせた状態とする。
【００３２】
次に前側の各浴槽支持具１２によって槽部１４の底部前側部分を支持し、各浴槽前側被嵌合部１６内に対応する設置部前側嵌合部２４を挿入したまま、浴槽１をやや後方に移動しつつ浴槽１の後部側が下方に移動するように回動し、これにより各浴槽後側被嵌合部１７を対応する設置部後側嵌合部２５に嵌合させる。
【００３３】
このような浴槽１の設置作業は浴槽１全体を支持して浴槽１を架台５上に真上から設置する必要がないので容易である。また、上記浴槽１の前部を支持しながら後方へ移動する際や浴槽１を回動する際には、各浴槽前側被嵌合部１６が対応する設置部前側嵌合部２４によって左右方向の移動が規制された状態となるので、各設置部前側嵌合部２４が浴槽１の後方への移動や回動の際のガイドとなり、この点でも浴槽１の設置作業が容易になる。
【００３４】
上記浴槽１の設置の後にエプロン３を施工する。エプロン３は床パン２の前端部にエプロン枠１８を立設し、該エプロン枠１８の前側にエプロン３を取り付けることで行う。そしてエプロン枠１８に取り付けられたエプロン３の上端に設けた係止突部１９の後面には浴槽１の洗い場側のフランジ１５に設けた被係止部２０が上方から係止されるのだが、ここで、本例の各浴槽前側被嵌合部１６は前方への移動を許容した状態で対応する設置部前側嵌合部２４に嵌合するものであるので、上記エプロン３の施工は例えば以下のように行うことができる。
【００３５】
即ち、エプロン３を施工する場合、架台５のフレーム８に設けた前側の各浴槽支持具１２によって浴槽１の槽部１４の底部前側部分を支持しながら、浴槽１の後部側が上方に移動するように回動し、このように浴槽１の後部側を浮き上がらせた状態で上記エプロン３をエプロン枠１８に取り付ける。つまり、エプロン３を取り付ける際には、各設置部前側嵌合部２４のガイドのもと浴槽１を回動して、各設置部前側嵌合部２４を対応する浴槽前側被嵌合部１６に嵌合し、且つ、各浴槽後側被嵌合部１７から設置部後側嵌合部２５を外した状態とする。そして、この後、浴槽１の後部側が下方に移動するように回動し、各浴槽後側被嵌合部１７に設置部後側嵌合部２５を嵌合し、且つ、浴槽１の被係止部２０をエプロン枠１８に取り付けたエプロン３の係止突部１９に係止する。これにより、各浴槽前側被嵌合部１６及び浴槽後側被嵌合部１７は上記仮設置状態と同様に対応する設置部前側嵌合部２４及び設置部後側嵌合部２５の夫々に嵌合した状態となる。
【００３６】
上記エプロン３の施工は浴槽１の回動時に浴槽１全体を支持する必要がないので容易である。また、各浴槽前側被嵌合部１６が対応する設置部前側嵌合部２４によって左右方向の移動が規制された状態となるので、各設置部前側嵌合部２４が浴槽１の後部の上下回動の際にガイドとなり、この点でも容易である。
【００３７】
なお、上記では浴槽前側被嵌合部１６及び浴槽後側被嵌合部１７を凹部により構成すると共に設置部前側嵌合部２４及び設置部後側嵌合部２５を対応する浴槽前側被嵌合部１６又は浴槽後側被嵌合部１７に凹凸嵌合する凸部により構成したが、浴槽前側被嵌合部１６及び浴槽後側被嵌合部１７を凸部により構成すると共に設置部前側嵌合部２４及び設置部後側嵌合部２５を対応する浴槽前側被嵌合部１６又は浴槽後側被嵌合部１７に凹凸嵌合する凹部により構成する等、適宜設計変更可能である。
【００３８】
また、図７のように各設置部前側嵌合部２４や各設置部後側嵌合部２５の夫々の左右両側に、浴槽１が既述の正しい設置位置から左右にずれた位置に設置された際に対応する浴槽前側被嵌合部１６や浴槽後側被嵌合部１７を受けるための被嵌合部受部３０を突設することが好ましい。
【００３９】
図示例の被嵌合部受部３０は各浴槽支持具１２の台部１３の上面の両側から上方に突出する左右に長い突片３１で構成してある。なお、被嵌合部受部３０の高さは対応する設置部前側嵌合部２４や設置部後側嵌合部２５の高さよりも低いものであっても良いし、同じであっても良い。各設置部前側嵌合部２４と両側の突片３１の間と、各設置部後側嵌合部２５と両側の突片３１の間には夫々隙間３２を形成してあり、上記浴槽１の設置状態においては各隙間３２に対応する浴槽前側被嵌合部１６の左右の側壁部１６ａや浴槽後側被嵌合部１７の左右の側片部１７ａが嵌め込まれるようになっている。
【００４０】
このように浴槽設置部４の上面における設置部前側嵌合部２４や設置部後側嵌合部２５の左右両側に被嵌合部受部３０を突設することで、浴槽１が既述の正しい設置位置から左右にずれた位置に設置された際にリブ２２、２３で構成される浴槽前側被嵌合部１６や浴槽後側被嵌合部１７を被嵌合部受部３０で受けて正しく設置された状態（即ち台部１３上に浴槽前側被嵌合部１６や浴槽後側被嵌合部１７を載置した状態）よりも上方に位置させることができ、これにより施工者は浴槽１が正しい設置位置から左右にずれた位置に設置されたことを容易に認識できる。なお、上記浴槽１が設置位置よりも大きくずれて浴槽前側被嵌合部１６や浴槽後側被嵌合部１７が上記被嵌合部受部３０に載置されない場合も考えられるが、この場合は浴槽１が大きくずれていることから、また、ずれた浴槽１が浴槽設置部４の側方の建物躯体壁に接することから、浴槽１が左右にずれた位置に設置されたことは容易に認識できるものである。
【００４１】
なお、図７の例では設置部前側嵌合部２４及び設置部後側嵌合部２５の夫々の両側に被嵌合部受部３０を突設したが、設置部前側嵌合部２４の両側にのみ、又は設置部後側嵌合部２５の両側にのみ被嵌合部受部３０を突設しても良い。
【００４２】
また、上記実施例では、各浴槽後側被嵌合部１７を対応する設置部後側嵌合部２５に前後両方向方及び左右両方向の移動を規制した状態で嵌合したが、各浴槽後側被嵌合部１７は後方及び左右両方向の移動を規制すると共に前方への移動を許容した状態で嵌合しても良い。
【００４３】
また、上記各例では、各浴槽前側被嵌合部１６及び各浴槽後側被嵌合部１７を浴槽１に一体に設けたリブ２３、２２により構成したが、リブ以外の部分で構成しても良い。
【００４４】
また、各浴槽前側被嵌合部１６及び各浴槽後側被嵌合部１７を浴槽１とは別部材で構成しても良く、この実施形態を図８及び図９に示す。なお、以下の説明では上記実施形態と同一の構成については同一の番号を付与し、重複する説明は省略する。
【００４５】
本実施形態の設置構造では、前述のように各浴槽前側被嵌合部１６及び各浴槽後側被嵌合部１７を浴槽１とは別部材で構成してあり、これらを浴槽１の下面に取り付けてある。
【００４６】
各浴槽前側被嵌合部１６と各浴槽後側被嵌合部１７は前後対称形状に形成されている。すなわち、各浴槽後側被嵌合部１７は水平断面で後方に開口するコ字状に形成されており、対応する設置部後側嵌合部２５に後方及び左右両方向の移動が規制され且つ前方への移動が許容された状態で嵌合される。また、各浴槽前側被嵌合部１６及び各浴槽後側被嵌合部１７の周囲の壁部の厚みは突部２６よりも左右幅が大きく、強度を高めている。
【００４７】
本実施形態にあっては、浴槽１に別部材の浴槽前側被嵌合部１６及び浴槽後側被嵌合部１７を取り付けるだけで、容易に浴槽前側被嵌合部１６及び浴槽後側被嵌合部１７を設けることができる。また、図９のように、浴槽１の成型に影響を与えることなく、各浴槽前側被嵌合部１６及び各浴槽後側被嵌合部１７の夫々の周囲の壁部の厚みを厚くすることができる。さらに上記のように浴槽前側被嵌合部１６と浴槽後側被嵌合部１７を対称形状とすると、成型用の金型を共通化できるといった利点もある。
【００４８】
なお、図８は本例の浴槽１を設置する際に、浴槽１を底部前側部分のみを載置した状態を示すものである。図中矢印Ａは、浴槽１を図８に示すように底部前側部分のみを架台５上に設置する際の移動方向を示し、また、図中矢印Ｂは浴槽１を図８に示す状態から各浴槽後側被嵌合部１７を設置部後側嵌合部２５に嵌合させる際の移動方向を示す。
【図面の簡単な説明】
【００４９】
【図１】本発明の実施の形態の一例の浴槽の設置構造を示す斜視図である。
【図２】同上の分解斜視図である。
【図３】同上の浴槽とエプロンの係止状態を示す断面図である。
【図４】同上の浴槽の要部断面斜視図である。
【図５】同上の浴槽の要部水平断面図である。
【図６】同上の架台に設けた浴槽支持具を示す斜視図である。
【図７】他例の浴槽の要部水平断面図である。
【図８】浴槽を設置する際の直前の状態を示す側面図である。
【図９】更に他例の浴槽の要部水平断面図である。
【符号の説明】
【００５０】
１  浴槽
４  浴槽設置部
１６  浴槽前側被嵌合部
１７  浴槽後側被嵌合部
２４  設置部前側嵌合部
２２  リブ
２３  リブ
２５  設置部後側嵌合部
３０  被嵌合部受部
【図１】
0005081115.tif 000002
【図２】
0005081115.tif 000003
【図３】
0005081115.tif 000004
【図４】
0005081115.tif 000005
【図５】
0005081115.tif 000006
【図６】
0005081115.tif 000007
【図７】
0005081115.tif 000008
【図８】
0005081115.tif 000009
【図９】
0005081115.tif 000010